(57)【要約】      （修正有）【課題】ＵＥが、休止ｅＮＢにアクセスするかまたはキャンプオンすることが可能にされないとき、ＵＥをサービスするために休止ｅＮＢをアクティブにするための方法、装置およびコンピュータプログラム製品を提供する。【解決手段】ＵＥは、第１の基地局から同期信号と情報ブロックとを受信する。情報ブロックは、第１の基地局が休止状態にあるのかアクティブ状態にあるのかを示す情報を含む。ＵＥは、受信された同期信号と、第１の基地局が休止状態にあるのかアクティブ状態にあるのかを示す情報とに基づいて、第１の基地局を検出する。ＵＥは、第２の基地局から、第１の基地局を検出するためのリソースのインジケーションを受信する。同期信号と情報ブロックとは、示されたリソース中で受信される。ＵＥは、第２の基地局から第１の基地局へのハンドオフ中に第２の基地局から第１の基地局に移動する。【選択図】図７
2018196146.tif 000002
【特許請求の範囲】
【請求項１】
ユーザ機器（ＵＥ）のワイヤレス通信の方法であって、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を備える、方法。
【請求項２】
第２の基地局から、前記第１の基地局を検出するためのリソースのインジケーションを受信することをさらに備え、前記同期信号と前記情報ブロックとは、前記示されたリソース中で受信される、
請求項１に記載の方法。
【請求項３】
前記情報ブロックは、セル識別子をさらに備え、前記方法は、
前記第１の基地局から基準信号を受信することと、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成することと、
第２の基地局に前記測定レポートと前記セル識別子とを送ることと
をさらに備える、請求項１に記載の方法。
【請求項４】
第２の基地局から前記第１の基地局へのハンドオフ中に前記第２の基地局から前記第１の基地局に移動することをさらに備える、
請求項１に記載の方法。
【請求項５】
前記第１の基地局が前記休止状態にあるのか前記アクティブ状態にあるのかを示す前記情報に基づいて前記情報ブロックを解釈することをさらに備え、前記検出することは、前記解釈された情報ブロックに基づく、
請求項１に記載の方法。
【請求項６】
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性が前記第１の周期性よりも大きい、
請求項５に記載の方法。
【請求項７】
前記情報ブロックは、システム情報ブロック（ＳＩＢ）である、
請求項１に記載の方法。
【請求項８】
前記情報ブロックは、ＳＩＢ  １（ＳＩＢ１）である、
請求項７に記載の方法。
【請求項９】
前記情報ブロックは、ＳＩＢ  １（ＳＩＢ１）のサブセットを備える、
請求項７に記載の方法。
【請求項１０】
前記情報ブロックは、マスタ情報ブロック（ＭＩＢ）である、
請求項１に記載の方法。
【請求項１１】
ワイヤレス通信のための装置であって、前記装置はユーザ機器（ＵＥ）であり、
第１の基地局から同期信号と情報ブロックとを受信するための手段、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出するための手段と
を備える、装置。
【請求項１２】
第２の基地局から、前記第１の基地局を検出するためのリソースのインジケーションを受信するための手段をさらに備え、前記同期信号と前記情報ブロックとは、前記示されたリソース中で受信される、
請求項１１に記載の装置。
【請求項１３】
前記情報ブロックは、セル識別子をさらに備え、前記装置は、
前記第１の基地局から基準信号を受信するための手段と、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成するための手段と、
第２の基地局に前記測定レポートと前記セル識別子とを送るための手段と
をさらに備える、請求項１１に記載の装置。
【請求項１４】
第２の基地局から前記第１の基地局へのハンドオフ中に前記第２の基地局から前記第１の基地局に移動するための手段をさらに備える、
請求項１１に記載の装置。
【請求項１５】
前記第１の基地局が前記休止状態にあるのか前記アクティブ状態にあるのかを示す前記情報に基づいて前記情報ブロックを解釈するための手段をさらに備え、検出するための前記手段は、前記解釈された情報ブロックに基づいて検出する、
請求項１１に記載の装置。
【請求項１６】
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性は、前記第１の周期性よりも大きい、
請求項１５に記載の装置。
【請求項１７】
前記情報ブロックは、システム情報ブロック（ＳＩＢ）である、
請求項１１に記載の装置。
【請求項１８】
前記情報ブロックは、ＳＩＢ  １（ＳＩＢ１）である、
請求項１７に記載の装置。
【請求項１９】
前記情報ブロックは、ＳＩＢ  １（ＳＩＢ１）のサブセットを備える、
請求項１７に記載の装置。
【請求項２０】
前記情報ブロックは、マスタ情報ブロック（ＭＩＢ）である、
請求項１１に記載の装置。
【請求項２１】
ワイヤレス通信のための装置であって、前記装置がユーザ機器（ＵＥ）であり、
メモリと、
前記メモリに結合された少なくとも１つのプロセッサと
を備え、前記少なくとも１つのプロセッサは、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を行うように構成された、装置。
【請求項２２】
前記少なくとも１つのプロセッサは、第２の基地局から、前記第１の基地局を検出するためのリソースのインジケーションを受信するようにさらに構成され、前記同期信号と前記情報ブロックとが、前記示されたリソース中で受信される、
請求項２１に記載の装置。
【請求項２３】
前記情報ブロックは、セル識別子をさらに備え、前記少なくとも１つのプロセッサは、
前記第１の基地局から基準信号を受信することと、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成することと、
第２の基地局に、前記測定レポートと前記セル識別子とを送ることと
を行うようにさらに構成された、請求項２１に記載の装置。
【請求項２４】
前記少なくとも１つのプロセッサは、第２の基地局から前記第１の基地局へのハンドオフ中に前記第２の基地局から前記第１の基地局に移動するようにさらに構成された、
請求項２１に記載の装置。
【請求項２５】
前記少なくとも１つのプロセッサは、前記第１の基地局が前記休止状態にあるのか前記アクティブ状態にあるのかを示す前記情報に基づいて前記情報ブロックを解釈するようにさらに構成され、前記少なくとも１つのプロセッサは、前記解釈された情報ブロックに基づいて検出するようにさらに構成された、
請求項２１に記載の装置。
【請求項２６】
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性は、前記第１の周期性よりも大きい、
請求項２５に記載の装置。
【請求項２７】
前記情報ブロックは、システム情報ブロック（ＳＩＢ）である、
請求項２１に記載の装置。
【請求項２８】
前記情報ブロックは、ＳＩＢ  １（ＳＩＢ１）のサブセットを備える、
請求項２７に記載の装置。
【請求項２９】
前記情報ブロックは、マスタ情報ブロック（ＭＩＢ）である、
請求項２１に記載の装置。
【請求項３０】
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を行うためのコードを備えるコンピュータ可読媒体を備える、
ユーザ機器（ＵＥ）中のコンピュータプログラム製品。
【発明の詳細な説明】
【関連技術】
【０００１】
関連出願の相互参照
[0001]本出願は、どちらも全体が参照により本明細書に明確に組み込まれる、２０１３年２月１５日に出願された「ACTIVATION PROCEDURE FOR DORMANT CELLS」と題する米国仮出願第６１／７６５，６６３号、および２０１４年１月２８日に出願された「ACTIVATION PROCEDURE FOR DORMANT CELLS」と題する米国非仮出願第１４／１６６，１０４号の利益を主張する。
【技術分野】
【０００２】
[0002]本開示は、一般に通信システムに関し、より詳細には、休止セル（dormant cell）のためのアクティベーションプロシージャに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションシステム（ＵＭＴＳ）モバイル規格の拡張のセットである。ＬＴＥは、スペクトル効率を改善すること、コストを下げること、サービスを改善すること、新しいスペクトルを利用すること、およびダウンリンク（Ｄ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置はユーザ機器（ＵＥ）であり得る。ＵＥは、第１の基地局から同期信号と情報ブロックとを受信する。情報ブロックは、第１の基地局が休止状態にあるのかアクティブ状態にあるのかを示す情報を含む。ＵＥは、受信された同期信号と、第１の基地局が休止状態にあるのかアクティブ状態にあるのかを示す情報とに基づいて、第１の基地局を検出する。
【０００６】
[0006]本開示の一態様では、方法、コンピュータプログラム製品、および装置が提供される。本装置は第２の基地局であり得る。第２の基地局はアクティブまたはサービング基地局であり得る。第２の基地局は、ＵＥから、測定レポートと、第１の基地局に関連するセル識別子とを受信する。第２の基地局は、セル識別子に関連する第１の基地局が休止状態にあると決定する。第２の基地局は、測定レポートに基づいて第１の基地局にアクティベーション要求を送る。第２の基地局はＵＥを第１の基地局にハンドオフする。
【０００７】
[0007]第２の基地局は、ＵＥに、第１の基地局を検出するためのリソースのインジケーションを送り得る。第２の基地局は、第１の基地局内で、データ送信のために第１の基地局によって利用されるサブフレームを構成し得る。第２の基地局は、第１の基地局から、第１の基地局が休止状態に遷移することを望むことを示す情報と、休止状態にある第１の基地局の構成とを受信し得る。さらに、第２の基地局は、第１の基地局に、第１の基地局がアクティブ状態から休止状態に変化することができるという確認を送り、受信された構成に従って同期信号と基準信号と情報ブロックとを送信し得る。
【０００８】
[0008]本開示の一態様では、方法、コンピュータプログラム製品、および装置が提供される。本装置は第１の基地局であり得る。第１の基地局は休止基地局であり得る。第１の基地局は、第１の周期性（periodicity）で、同期信号と、基準信号と、第１の情報ブロックとを送信する。第１の情報ブロックは、セル識別子と、第１の基地局が休止状態にあることを示す情報とを含む。第１の基地局は第２の基地局からアクティベーション要求を受信する。第１の基地局は休止状態からアクティブ状態に変化する。第１の基地局は、第１の周期性よりも大きい第２の周期性で、同期信号と、基準信号と、第２の情報ブロックとを送信する。
【０００９】
[0009]第１の情報ブロックはシステム情報ブロックであり得る。情報ブロックはシステム情報ブロック１であり得る。情報ブロックはシステム情報ブロック１のサブセットを含み得る。情報ブロックはマスタ情報ブロックであり得る。第２の情報ブロックは、第１の基地局がアクティブ状態にあることを示す情報を含み得る。第２の情報ブロックは、システム帯域幅、ダウンリンク制御チャネル構成情報、またはシステム情報ブロック１割当てのうちの少なくとも１つをさらに含み得る。第１の基地局は、ハンドオフ中に第２の基地局からＵＥを受信し得る。第１の基地局は、第２の基地局から、ＵＥとのデータ送信中で利用すべきサブフレームのための構成を受信し得る。第１の基地局は、しきい値よりも大きい時間期間の間第１の基地局が非アクティブであったと決定し、アクティブ状態から休止状態に変化し、第１の周期性で、同期信号と、基準信号と、第１の情報ブロックとを送信し得る。第１の基地局は、第１の基地局がアクティブ状態から休止状態に変化することを望むことを示す情報と、同期信号、基準信号、および第１の情報ブロックが送信されることになる第１の周期性を示す情報とを第２の基地局に送り得る。さらに、第１の基地局は、第２の基地局から、第１の基地局がアクティブ状態から休止状態に変化することができることを確認する情報を受信し、第１の周期性で、同期信号と、基準信号と、第１の情報ブロックとを送信し得る。
【図面の簡単な説明】
【００１０】
【図１】[0010]ネットワークアーキテクチャの一例を示す図。
【図２】[0011]アクセスネットワークの一例を示す図。
【図３】[0012]ＬＴＥにおけるＤＬフレーム構造の一例を示す図。
【図４】[0013]ＬＴＥにおけるＵＬフレーム構造の一例を示す図。
【図５】[0014]ユーザプレーンおよび制御プレーンのための無線プロトコルアーキテクチャの一例を示す図。
【図６】[0015]アクセスネットワーク中の発展型ノードＢおよびユーザ機器の一例を示す図。
【図７】[0016]休止発展型ノードＢの場合の例示的なアクティベーションプロシージャを示すコールフローチャート。
【図８】[0017]アクティブ状態から休止状態に変化するための例示的なプロシージャを示すコールフローチャート。
【図９】[0018]ワイヤレス通信の第１の方法のフローチャート。
【図１０】[0019]ワイヤレス通信の第２の方法のフローチャート。
【図１１】[0020]ワイヤレス通信の第３方法のフローチャート。
【図１２】[0021]例示的な装置中の異なるモジュール／手段／構成要素間のデータフローを示す概念データフローチャート。
【図１３】[0022]処理システムを採用する装置のためのハードウェア実装形態の一例を示す図。
【発明を実施するための形態】
【００１１】
[0023]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１２】
[0024]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるかソフトウェアとして実装されるかは、特定の適用例および全体的なシステムに課された設計制約に依存する。
【００１３】
[0025]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１４】
[0026]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含めるべきである。
【００１５】
[0027]図１は、ＬＴＥネットワークアーキテクチャ１００を示す図である。ＬＴＥネットワークアーキテクチャ１００は発展型パケットシステム（ＥＰＳ）１００と呼ばれることがある。ＥＰＳ１００は、１つまたは複数のユーザ機器（ＵＥ）１０２と、発展型ＵＭＴＳテレストリアルラジオアクセスネットワーク（Ｅ−ＵＴＲＡＮ）１０４と、発展型パケットコア（ＥＰＣ）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００１６】
[0028]Ｅ−ＵＴＲＡＮは、発展型ノードＢ（ｅＮＢ）１０６と、他のｅＮＢ１０８と、マルチキャスト協調エンティティ（ＭＣＥ）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ））を決定する。ＭＣＥ１２８は別個のエンティティ、またはｅＮＢ１０６の一部であり得る。ｅＮＢ１０６はまた、基地局、ノードＢ、アクセスポイント、トランシーバ基地局、無線基地局、無線トランシーバ、トランシーバ機能、基本サービスセット（ＢＳＳ）、拡張サービスセット（ＥＳＳ）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１７】
[0029]ｅＮＢ１０６はＥＰＣ１１０に接続される。ＥＰＣ１１０は、モビリティ管理エンティティ（ＭＭＥ）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ）１２６と、パケットデータネットワーク（ＰＤＮ）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１８】
[0030]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用され得る。
【００１９】
[0031]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサルテレストリアルラジオアクセス（ＵＴＲＡ）、ＴＤＭＡを採用するグローバルシステムフォーモバイルモバイルコミュニケーション（ＧＳＭ（登録商標））、ならびに、ＯＦＤＭＡを採用する、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２０】
[0032]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともにＵＥ２０６に到着し、これにより、ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２１】
[0033]空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２２】
[0034]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２３】
[0035]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２４】
[0036]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２５】
[0037]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００２６】
[0038]初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２７】
[0039]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２８】
[0040]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２９】
[0041]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、ロストデータパケットの再送信と、ハイブリッド自動再送要求（ＨＡＲＱ）による、順序の乱れた受信を補償するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担う。ＭＡＣサブレイヤ５１０はまたＨＡＲＱ動作を担う。
【００３０】
[0042]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担う。
【００３１】
[0043]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ動作と、ロストパケットの再送信と、ＵＥ６５０へのシグナリングとを担う。
【００３２】
[0044]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）と、様々な変調方式（たとえば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコードされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３３】
[0045]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３４】
[0046]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、暗号解読（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３５】
[0047]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、ロストパケットの再送信、およびｅＮＢ６１０へのシグナリングを担う。
【００３６】
[0048]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３７】
[0049]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３８】
[0050]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００３９】
[0051]電力を節約し、近隣セルおよび／もしくは近隣セルによってサービスされるＵＥへの干渉を低減し、ならびに／またはセルとの無線リンク失敗（ＲＬＦ）を経験する可能性があり得る高モビリティＵＥの受信されたハンドオフを低減するために、セルは休止であるか、あるいは休止状態（モード）に変化し得る。休止セルは、休止ｅＮＢ、ニューキャリアタイプ（ＮＣＴ）休止ｅＮＢ、またはＮＣＴ休止セルと呼ばれることがある。ＲＲＣアイドル状態にあるアイドルＵＥは、休止ｅＮＢにアクセスするかまたはキャンプオンすることが可能にされないことがある。現在、ＵＥが、休止ｅＮＢにアクセスするかまたはキャンプオンすることが可能にされないとき、ＵＥをサービスするために休止ｅＮＢをアクティブにするためのアクティベーションプロシージャが必要である。
【００４０】
[0052]図７は、休止ｅＮＢ７０２の場合の例示的なアクティベーションプロシージャを示すコールフローチャート７００である。７０４において、休止ｅＮＢ７０２はオーバーヘッドチャネル上でスパースオーバーヘッド信号を送信する。オーバーヘッド信号は、プライマリ同期信号（ＰＳＳ）と、セカンダリ同期信号（ＳＳＳ）と、ＣＲＳと、マスタ情報ブロック（ＭＩＢ）と、システム情報ブロック（ＳＩＢ）とを含む。休止ｅＮＢ７０２は、各無線フレーム内の、または複数の無線フレームの各々内のサブフレームの小さいサブセット上でオーバーヘッド信号を送信する。オーバーヘッド信号のスパース送信は、（サービングｅＮＢとも呼ばれる）アクティブｅＮＢ７０３とのＲＲＣ接続状態にあるＵＥ７０１が、休止ｅＮＢ７０２を検出し、測定し、アクティブｅＮＢ７０３にレポートすることを可能にするための十分な情報を含んでいる。図７００中のアクティベーションプロシージャは、アクティブｅＮＢ７０３からページを受信した後に休止ｅＮＢ７０２にキャンプオンすることができず、休止ｅＮＢ７０２にアクセスすることができないＲＲＣアイドルＵＥに適用される。
【００４１】
[0053]休止ｅＮＢ７０２はバースト中にオーバーヘッドチャネル送信を送る。バーストは、低減された周期性にある。休止ｅＮＢ７０２は、ＬｍｓオフセットをもつＭｍｓごとのＮｍｓバースト中にＳＩブロック（ＳＩＢ）中で、ＰＳＳと、ＳＳＳと、ＣＲＳと、ＭＩＢと、システム情報（ＳＩ）とを送信し得る。Ｎ、Ｍ、およびＬについての値はアクティブｅＮＢ７０３によって構成され得る。アクティブｅＮＢ７０３は、ＳＩ中のブロードキャストを通して、および／またはユニキャストＲＲＣシグナリングを通してＮ、Ｍ、およびＬについての値を構成し得る。アクティブｅＮＢ７０３は、休止ｅＮＢ７０２からオーバーヘッド信号を収集するために複数のバースト構成を見るために、ＵＥ７０１にシグナリングし得る。システムフレームナンバー（ＳＦＮ）は、たとえば、オーバージエア（ＯＴＡ）同期、バックホールベースの同期などによって近隣セルと同期され得る。代替的に、休止ｅＮＢ７０２は近隣セルからのＳＦＮ／サブフレームオフセットを有し得る。
【００４２】
[0054]休止ｅＮＢ７０２はＭＩＢとＳＩＢとをスパースに送信し得る。休止ｅＮＢ７０２は、休止ｅＮＢ７０２がアクティブであるか、またはアクティブ状態にあるときに通常送信する情報のサブセットのみを送信し得る。たとえば、休止ｅＮＢ７０２は、通常ＳＩＢ１中に含まれる情報のサブセットのみを含むＳＩＢ  １（ＳＩＢ１）ｌｉｔｅを送信し得る。ＳＩをスパースに（より小さい周期性で）送信することは、休止ｅＮＢ７０２の発見のカバレージを低減する。
【００４３】
[0055]休止ｅＮＢ７０２のシステム帯域幅はアクティブｅＮＢ７０３と同じであり得る。休止ｅＮＢ７０２のシステム帯域幅が異なる場合、休止ｅＮＢ７０２のシステム帯域幅はＭＩＢ中で通信され得る。休止ｅＮＢ７０２のＳＦＮ／サブフレームオフセットはアクティブｅＮＢ７０３と同じであり得る。休止ｅＮＢ７０２についてのＳＦＮ／サブフレームオフセットが異なる場合、アクティブｅＮＢ７０３はその差をＵＥ７０１にシグナリングし得る。休止ｅＮＢ７０２オーバーヘッドチャネル送信は、ｅＮＢ７０２が休止であるかまたは休止状態にあるかというインジケーションを含み得る。インジケーションは、ＭＩＢ、ＳＩ（たとえば、ＳＩＢ１）、またはＳＩＢ１  ｌｉｔｅ中で送信され得る。インジケーションは、ＵＥ７０１がどのサブフレーム上で休止ｅＮＢ７０２を検出することができるかをＵＥ７０１が決定することを可能にする。
【００４４】
[0056]再び図７を参照すると、７０６において、ＵＥ７０１は、アクティブｅＮＢ７０３から、休止ｅＮＢ７０２のオーバーヘッドチャネルについてのパラメータを収集する。パラメータは、オーバーヘッド信号が休止ｅＮＢ７０２からその上で取得され得るリソース（たとえば、サブフレーム、周期性）を示す。示されたリソース上で、ＵＥ７０１は、ＰＳＳとＳＳＳとを受信し、受信されたＰＳＳとＳＳＳとに基づいて休止ｅＮＢ７０２を検出する。示されたリソース上で、ＵＥ７０１はまた、休止ｅＮＢ７０２に関連するＣＲＳとセル識別子とを受信する。セル識別子はグローバルセル識別子または拡張されたセル識別子であり得る。ＵＥ７０１は、バーストロケーション（たとえば、２００ｍｓごとに１０ｍｓ）において受信されたＣＲＳの基準信号受信品質（ＲＳＲＱ）、基準信号受信電力（ＲＳＲＰ）、または信号対干渉プラス雑音比（ＳＩＮＲ）を決定する。ＵＥ７０１は、ＲＳＲＱ、ＲＳＲＰ、および／またはＳＩＮＲ情報を含む測定レポート７０８をアクティブｅＮＢ７０３に送る。測定レポート７０８は、休止ｅＮＢ７０２のセル識別子を含むか、またはそれを用いて送られる。
【００４５】
[0057]アクティブｅＮＢ７０３はＵＥ７０１から測定レポート７０８とセル識別子とを受信する。測定レポート７０８に基づいて、アクティブｅＮＢ７０３は、セル識別子に対応する休止ｅＮＢ７０２をアクティブにすべきかどうかを決定し、ＵＥ７０１を休止ｅＮＢ７０２にハンドオーバし得る。休止ｅＮＢ７０２をアクティブにすることを決定すると、アクティブｅＮＢ７０３は休止ｅＮＢ７０２にアクティベーション要求７１０を送る。アクティベーション要求７１０は、ｅＮＢ７０２がアクティブであるかまたはアクティブ状態にあるとき、オーバーヘッドチャネル送信の構成（たとえば、周期性）を含み得る。その後、アクティブｅＮＢ７０３は、ＵＥ７０１とのデータ送信のために休止ｅＮＢ７０２によって利用され得るサブフレームサブセットのための構成７１２を送信し得る。
【００４６】
[0058]アクティブｅＮＢ７０３からアクティベーション要求７１０を受信した後に、ｅＮＢ７０２は、アクティブ状態に変化し、７１４において、公称周期性（nominal periodicity）でオーバーヘッド信号を送信する。ｅＮＢ７０２は、休止状態にあるときよりも大きい周期性で、アクティブ状態でオーバーヘッド信号を送信する。アクティブ状態に変化した後に、ｅＮＢ７０２は、ＳＩ中で、ｅＮＢ７０２が休止状態ではなくアクティブ状態にあることを示し得る。特に、アクティブ状態にあるとき、ｅＮＢ７０２は、アクティブ状態インジケーションと、システム帯域幅と、ダウンリンク制御チャネル構成、ＳＩＢ１割当てなどの他の情報とを含むＭＩＢを送信し得る。アクティブ状態インジケーションは、ＰＳＳと、ＳＳＳと、ＣＲＳ、チャネル状態情報（ＣＳ）基準信号（ＲＳ）（ＣＳＩ−ＲＳ）または他の基準信号などの基準信号との（たとえば、周期性および／または帯域幅に関して）異なる構成を示すための複数のビットを含み得る。公称周期性は、オーバーヘッド信号がアクティブｅＮＢ７０３によって送信される周期性よりも小さくなり得る。アクティブｅＮＢ７０３よりも小さい周期性においてオーバーヘッド信号を送信することは、アクティブｅＮＢ７０３によってサービスされているＵＥへの干渉を制限するために有用であり得、ｅＮＢ７０２にまだハンドオーバされていない高モビリティＵＥのハンドオーバレートを低減するために有用であり得る。高モビリティＵＥは、ｅＮＢ７０２におけるＲＬＦのより大きい可能性を有し得る。データ送信は、近くのＵＥのＲＬＦにつながることがある状態を生じることを回避するために、構成されたサブフレームサブセットに少なくとも最初に制限され得る。また、アクティブｅＮＢ７０３上の無線リソース管理（ＲＲＭ）と無線リンク管理（ＲＬＭ）とは、ｅＮＢ７０２が信号を送信しないとき、サブフレームまたはリソースのセットに制限され得る。その後、アクティブｅＮＢ７０３はＵＥ７０１をｅＮＢ７０２にハンドオフする。ＵＥ７０１は、アクティブｅＮＢ７０３からＲＲＣ接続再構成７１６を受信し、ｅＮＢ７０２とのランダムアクセスプロシージャ７１８（たとえば、ＰＲＡＣＨプロシージャ）を実行する。
【００４７】
[0059]図８は、アクティブ状態から休止状態に変化するための例示的なプロシージャを示すコールフローチャート８００である。アクティブである間、８０４において、ｅＮＢ８０１は公称周期性でオーバーヘッド信号を送信する。非アクティビティタイマ８０６の満了時に、ｅＮＢ８０１は、休止状態に変化するようにという要望のインジケーション８０８をアクティブｅＮＢ８０２に送信し得る。８１０において、アクティブｅＮＢ８０２は、次いで、ｅＮＢ８０１に応答し、ｅＮＢ８０１がアクティブ状態から休止状態に遷移し得ることを確認し得る。その後、ｅＮＢ８０１は、休止状態に遷移し、８１２において、低減された周期性でオーバーヘッド信号を送信する。ｅＮＢ８０１は、アクティブｅＮＢ８０２に通知することなしにアクティブ状態から休止状態に遷移し得る。休止インジケーションを送信するとき、ｅＮＢ８０１は、休止状態にあるときにオーバーヘッド信号を送信するための提案する構成を含め得る。休止確認を送るとき、アクティブｅＮＢ８０２は、ｅＮＢ８０１からの受信された構成を確認し得るか、または休止状態にあるときにオーバーヘッド信号を送信するための異なる構成を要求し得る。
【００４８】
[0060]図９は、ワイヤレス通信の方法のフローチャート９００である。本方法は、ＵＥ７０１などのＵＥによって実行され得る。ステップ９０２において、ＵＥは、第２の基地局（たとえば、ｅＮＢ７０３）から、第１の基地局（たとえば、ｅＮＢ７０２）を検出するためのリソースのインジケーションを受信する。ステップ９０４において、ＵＥは、第１の基地局から同期信号と情報ブロックとを受信する。情報ブロックは、第１の基地局が休止状態にあるのかアクティブ状態にあるのかを示す情報を含む。同期信号と情報ブロックとは、示されたリソース中で受信される。情報ブロックは第１の基地局のセル識別子を含む。ステップ９０６において、ＵＥは、受信された同期信号と、第１の基地局が休止状態にあるのかアクティブ状態にあるのかを示す情報とに基づいて、第１の基地局を検出する。第１の基地局が休止状態にあるとき、ＵＥは、示されたリソース中で受信された同期信号に基づいて第１の基地局を検出し得る。第１の基地局がアクティブ状態にあるとき、ＵＥは、示されたリソースおよび追加のリソース中で受信された同期信号と基づく第１の基地局ベースを検出し得る。追加のリソースは、休止状態ではなく、アクティブ状態にある第１の基地局によって利用され得る。ステップ９０８において、ＵＥは第１の基地局から基準信号を受信する。ステップ９１０において、ＵＥは、受信された基準信号のＲＳＲＱ、ＲＳＲＰ、またはＳＩＮＲのうちの少なくとも１つを含む測定レポートを生成する。ステップ９１２において、ＵＥは第２の基地局に測定レポートとセル識別子とを送る。ステップ９１４において、ＵＥは、第２の基地局から第１の基地局へのハンドオフ中に第２の基地局から第１の基地局に移動する。
【００４９】
[0061]たとえば、図７および図８を参照すると、７０６において、ＵＥ７０１は、ｅＮＢ７０３／８０２から、ｅＮＢ７０２／８０１を検出するためのリソースのインジケーションを受信し得る。ＵＥ７０１は、ｅＮＢ７０２／８０１から、同期信号と情報ブロックと（ｅＮＢ７０２／８０１が休止である場合、７０４および８１２、ｅＮＢ７０２／８０１がアクティブである場合、７１４および８０４）を受信し得る。情報ブロックは、ｅＮＢ７０２／８０１が休止状態にあるのかアクティブ状態にあるのかを示す情報を含み得る。同期信号と情報ブロックとは、示されたリソース中で受信され得る。情報ブロックはｅＮＢ７０２／８０１のセル識別子を含み得る。ＵＥ７０１は、受信された同期信号と、ｅＮＢ７０２／８０１が休止状態にあるのかアクティブ状態にあるのかを示す情報とに基づいて、ｅＮＢ７０２／８０１を検出し得る。ｅＮＢ７０２／８０１が休止状態にあるとき、ＵＥ７０１は、示されたリソース中で７０４／８１２において受信された同期信号に基づいてｅＮＢ７０２／８０１を検出し得る。ｅＮＢ７０２／８０１がアクティブ状態にあるとき、ＵＥ７０１は、示されたリソースおよび追加のリソース中で７１４／８０４において受信された同期信号に基づいてｅＮＢ７０２／８０１を検出し得る。追加のリソースは、休止状態ではなく、アクティブ状態にあるｅＮＢ７０２／８０１によって利用され得る。ＵＥ７０１はｅＮＢ７０２／８０１から基準信号を受信し得る。ＵＥ７０１は、受信された基準信号のＲＳＲＱ、ＲＳＲＰ、またはＳＩＮＲのうちの少なくとも１つを含む測定レポート７０８を生成し得る。ＵＥ７０１は、ｅＮＢ７０３／８０２に測定レポート７０８とセル識別子とを送り得る。ＵＥ７０１は、ｅＮＢ７０３／８０２からｅＮＢ７０２／８０１へのハンドオフ中にｅＮＢ７０３／８０２からｅＮＢ７０２／８０１に移動し得る（７１６／７１８）。
【００５０】
[0062]ＵＥは、第１の基地局が休止状態にあるのかアクティブ状態にあるのかを示す情報に基づいて情報ブロックを解釈し得る。したがって、ステップ９０６において、ＵＥは、解釈された情報ブロックに基づいて第１の基地局を検出し得る。したがって、第１の基地局が休止状態にあるとき、ＵＥは第１の基地局からＳＩの第１のセットを受信し得、第１の基地局がアクティブ状態にあるとき、ＵＥは、第１の基地局から、ＳＩの第１のセットとは異なるＳＩの第２のセットを受信し得る。休止／アクティブインジケーションに基づいて、ＵＥは、ＳＩの第１のセットまたはＳＩの第２のセットを正しく取得するために、情報ブロック中で受信された情報を別様に解釈し得る。ＵＥは、次いで、第１の基地局を検出するためにＳＩの第１のセットまたはＳＩの第２のセットを利用する。第１の基地局は、第１の基地局が休止状態にあることを情報が示すとき、第１の周期性において受信された同期信号に基づいて検出され、第１の基地局がアクティブ状態にあることを情報が示すとき、第２の周期性において受信された同期信号に基づいて検出され得る。上記で説明したように、第２の周期性は第１の周期性よりも大きい。情報ブロックはＳＩＢであり得る。情報ブロックはＳＩＢ１であり得る。情報ブロックは、ＳＩＢ１のサブセットを含み得、したがって、ＳＩＢ１  ｌｉｔｅであり得る。情報ブロックはＭＩＢであり得る。
【００５１】
[0063]図１０は、ワイヤレス通信の方法を示すフローチャート１０００である。本方法は第２の基地局（たとえば、アクティブｅＮＢ／サービングｅＮＢ）によって実行され得る。ステップ１００２において、第２の基地局は、ＵＥに、第１の基地局を検出するためのリソースのインジケーションを送る。ステップ１００４において、第２の基地局は、ＵＥから、測定レポートと、第１の基地局に関連するセル識別子とを受信する。ステップ１００６において、第２の基地局は、セル識別子に関連する第１の基地局が休止状態にあると決定する。ステップ１００８において、第２の基地局は、測定レポートに基づいて第１の基地局にアクティベーション要求を送る。ステップ１０１０において、第２の基地局は第１の基地局にＵＥをハンドオフする。
【００５２】
[0064]第２の基地局は、第１の基地局内で、データ送信のために第１の基地局によって利用されるサブフレームを構成し得る。第２の基地局は、第１の基地局から、第１の基地局が休止状態に遷移することを望むことを示す情報と、休止状態にある第１の基地局の構成とを受信し得る。さらに、第２の基地局は、第１の基地局に、第１の基地局がアクティブ状態から休止状態に変化することができるという確認を送り、受信された構成に従って同期信号と基準信号と情報ブロックとを送信し得る。
【００５３】
[0065]たとえば、図７および図８を参照すると、７０６において、ｅＮＢ７０３／８０２は、ｅＮＢ７０２／８０１を検出するためのリソースのインジケーションをＵＥ７０１に送り得る。ｅＮＢ７０３／８０２は、ＵＥ７０１から測定レポート７０８とｅＮＢ７０２／８０１に関連するセル識別子とを受信し得る。ｅＮＢ７０３／８０２は、セル識別子に関連するｅＮＢ７０２／８０１が休止状態にあると決定し得る。ｅＮＢ７０３／８０２は、測定レポート７０８に基づいてｅＮＢ７０２／８０１にアクティベーション要求７１０を送り得る。ｅＮＢ７０３／８０２はＵＥ７０１をｅＮＢ７０２／８０１にハンドオフし得る（７１６／７１８）。７１２において、ｅＮＢ７０３／８０２は、ｅＮＢ７０２／８０１内に、データ送信のためにｅＮＢ７０２／８０１によって利用されるサブフレームを構成し得る。ｅＮＢ７０３／８０２は、ｅＮＢ７０２／８０１から、ｅＮＢ７０２／８０１が休止状態に遷移することを望むことを示す情報８０８と、休止状態にあるｅＮＢ７０２／８０１の構成とを受信し得る。さらに、ｅＮＢ７０３／８０２は、ｅＮＢ７０２／８０１に、ｅＮＢ７０２／８０１がアクティブ状態から休止状態に変化することができるという確認８１０を送り、受信された構成に従って同期信号と基準信号と情報ブロックとを送信し得る。
【００５４】
[0066]図１１は、ワイヤレス通信の方法を示す流れ図１１００である。本方法は第１の基地局（たとえば、休止ｅＮＢ）によって実行され得る。ステップ１１０２において、第１の基地局は、第１の周期性で、同期信号と、基準信号と、第１の情報ブロックとを送信する。第１の情報ブロックは、セル識別子と、第１の基地局が休止状態にあることを示す情報とを含む。ステップ１１０４において、第１の基地局は第２の基地局からアクティベーション要求を受信する。ステップ１１０６において、第１の基地局は休止状態からアクティブ状態に変化する。ステップ１１０８において、第１の基地局は、第１の周期性よりも大きい第２の周期性で、同期信号と、基準信号と、第２の情報ブロックとを送信する。
【００５５】
[0067]第１の情報ブロックはＳＩＢであり得る。情報ブロックはＳＩＢ１であり得る。情報ブロックはＳＩＢ１のサブセットを含み得る。情報ブロックはＭＩＢであり得る。第２の情報ブロックは、第１の基地局がアクティブ状態にあることを示す情報を含み得る。第２の情報ブロックは、システム帯域幅、ダウンリンク制御チャネル構成情報、またはＳＩＢ１割当てのうちの少なくとも１つをさらに含み得る。第１の基地局は、ハンドオフ中に第２の基地局からＵＥを受信し得る。第１の基地局は、第２の基地局から、ＵＥとのデータ送信中で利用すべきサブフレームのための構成を受信し得る。第１の基地局は、しきい値よりも大きい時間期間の間第１の基地局が非アクティブであったと決定し、アクティブ状態から休止状態に変化し、第１の周期性で、同期信号と、基準信号と、第１の情報ブロックとを送信し得る。第１の基地局は、第１の基地局がアクティブ状態から休止状態に変化することを望むことを示す情報と、同期信号、基準信号、および第１の情報ブロックが送信されることになる第１の周期性を示す情報とを第２の基地局に送り得る。さらに、第１の基地局は、第２の基地局から、第１の基地局がアクティブ状態から休止状態に変化することができることを確認する情報を受信し、第１の周期性で、同期信号と、基準信号と、第１の情報ブロックとを送信し得る。
【００５６】
[0068]たとえば、図７および図８を参照すると、７０４／８１２において、ｅＮＢ７０２／８０１は、第１の周期性で、同期信号と、基準信号と、第１の情報ブロックとを送信し得る。第１の情報ブロックは、セル識別子と、ｅＮＢ７０２／８０１が休止状態にあることを示す情報とを含み得る。ｅＮＢ７０２／８０１はｅＮＢ７０３／８０２からアクティベーション要求７１０を受信し得る。ｅＮＢ７０２／８０１は休止状態からアクティブ状態に変化し得る。７１４／８０４において、ｅＮＢ７０２／８０１は、第１の周期性よりも大きい第２の周期性で、同期信号と、基準信号と、第２の情報ブロックとを送信し得る。第１の情報ブロックはＳＩＢであり得る。情報ブロックはＳＩＢ１であり得る。情報ブロックはＳＩＢ１のサブセットを含み得る。情報ブロックはＭＩＢであり得る。第２の情報ブロックは、ｅＮＢ７０２／８０１がアクティブ状態にあることを示す情報を含み得る。第２の情報ブロックは、システム帯域幅、ダウンリンク制御チャネル構成情報、またはＳＩＢ１割当てのうちの少なくとも１つをさらに含み得る。ｅＮＢ７０２／８０１は、ハンドオフ（７１８）中にｅＮＢ７０３／８０２からＵＥ７０１を受信し得る。ｅＮＢ７０２／８０１は、ｅＮＢ７０３／８０２から、ＵＥ７０１とのデータ送信中で利用すべきサブフレームのための構成７１２を受信し得る。ｅＮＢ７０２／８０１は、（非アクティビティタイマ８０６に基づいて）しきい値よりも大きい時間期間の間ｅＮＢ７０２／８０１が非アクティブであったと決定し、アクティブ状態から休止状態に変化し、７０４／８１２において、第１の周期性で、同期信号と、基準信号と、第１の情報ブロックとを送信し得る。ｅＮＢ７０２／８０１は、ｅＮＢ７０２／８０１がアクティブ状態から休止状態に変化することを望むことを示す情報８０８と、同期信号、基準信号、および第１の情報ブロックが送信されることになる第１の周期性を示す情報とをｅＮＢ７０３／８０２に送り得る。さらに、ｅＮＢ７０２／８０１は、ｅＮＢ７０３／８０２から、ｅＮＢ７０２／８０１がアクティブ状態から休止状態に変化することができることを確認する情報８１０を受信し、第１の周期性で、同期信号と、基準信号と、第１の情報ブロックとを送信し得る。
【００５７】
[0069]図１２は、例示的な装置１２０２中の異なるモジュール／手段／構成要素間のデータフローを示す概念データフローチャート１２００である。本装置はＵＥであり得る。本装置は、第１の基地局１２５０から同期信号と情報ブロックとを受信するように構成された受信モジュール１２０４を含む。情報ブロックは、第１の基地局１２５０が休止状態にあるのかアクティブ状態にあるのかを示す情報を含む。本装置は、受信された同期信号と、第１の基地局が休止状態にあるのかアクティブ状態にあるのかを示す情報とに基づいて、第１の基地局１２５０を検出するように構成された検出モジュール１２０６をさらに含む。受信モジュール１２０４は、第２の基地局１２６０から、第１の基地局１２５０を検出するためのリソースのインジケーションを受信するように構成され得る。同期信号と情報ブロックとは、示されたリソース中で受信され得る。情報ブロックはセル識別子をさらに含み得る。受信モジュール１２０４は、第１の基地局１２５０から基準信号を受信するようにさらに構成され得る。本装置は、受信された基準信号のＲＳＲＱ、ＲＳＲＰ、またはＳＩＮＲのうちの少なくとも１つを含む測定レポートを生成するように構成された測定レポート生成モジュール１２０８をさらに含み得る。本装置は、第２の基地局１２６０に、測定レポートとセル識別子とを送るように構成された送信モジュール１２１０をさらに含み得る。本装置は、第２の基地局から第１の基地局へのハンドオフ中に第２の基地局から第１の基地局に移動するように構成され得る。検出モジュール１２０６は、第１の基地局が休止状態にあるのかアクティブ状態にあるのかを示す情報に基づいて情報ブロックを解釈するように構成され得る。検出モジュール１２０６は、解釈された情報ブロックに基づいて検出を実行するように構成され得る。第１の基地局１２５０は、第１の基地局１２５０が休止状態にあることを情報が示すとき、第１の周期性において受信された同期信号に基づいて検出され、第１の基地局１２５０がアクティブ状態にあることを情報が示すとき、第２の周期性において受信された同期信号に基づいて検出され得る。第２の周期性は第１の周期性よりも大きい。情報ブロックはＳＩＢであり得る。情報ブロックはＳＩＢ１であり得る。情報ブロックはＳＩＢ１のサブセットを含み得る。情報ブロックはＭＩＢであり得る。
【００５８】
[0070]本装置は、図９の上述のフローチャート中のアルゴリズムのステップの各々を実行する追加のモジュールを含み得る。したがって、図９の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００５９】
[0071]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュールと、モジュール１２０４、１２０６、１２０８、１２１０と、コンピュータ可読媒体／メモリ１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００６０】
[0072]処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信された信号から情報を抽出し、抽出された情報を処理システム１３１４に与える。さらに、トランシーバ１３１０は、処理システム１３１４から情報を受信し、受信した情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担う。ソフトウェアは、プロセッサ１３０４によって実行されたとき、処理システム１３１４に、特定の装置のための上記で説明された様々な機能を実行させる。コンピュータ可読媒体／メモリ１３０６はまた、ソフトウェアを実行するときにプロセッサ１３０４によって操作されるデータを記憶するために使用され得る。処理システムは、モジュール１２０４、１２０６、１２０８、１２１０のうちの少なくとも１つをさらに含む。それらのモジュールは、プロセッサ１３０４内で動作するか、コンピュータ可読媒体／メモリ１３０６内に存在する／記憶されたソフトウェアモジュール、プロセッサ１３０４に結合された１つもしくは複数のハードウェアモジュール、またはそれらの何らかの組合せであり得る。処理システム１３１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００６１】
[0073]一構成では、ワイヤレス通信のための装置１２０２／１２０２’は、第１の基地局から同期信号と情報ブロックとを受信するための手段を含む。情報ブロックは、第１の基地局が休止状態にあるのかアクティブ状態にあるのかを示す情報を含む。本装置は、受信された同期信号と、第１の基地局が休止状態にあるのかアクティブ状態にあるのかを示す情報とに基づいて、第１の基地局を検出するための手段をさらに含む。本装置は、第２の基地局から、第１の基地局を検出するためのリソースのインジケーションを受信するための手段をさらに含み得る。同期信号と情報ブロックとは、示されたリソース中で受信され得る。情報ブロックはセル識別子をさらに含み得る。本装置は、第１の基地局から基準信号を受信するための手段をさらに含み得る。本装置は、受信された基準信号のＲＳＲＱ、ＲＳＲＰ、またはＳＩＮＲのうちの少なくとも１つを含む測定レポートを生成するための手段をさらに含み得る。本装置は、第２の基地局に測定レポートとセル識別子とを送るための手段をさらに含み得る。本装置は、第２の基地局から第１の基地局へのハンドオフ中に第２の基地局から第１の基地局に移動するための手段をさらに含み得る。本装置は、第１の基地局が休止状態にあるのかアクティブ状態にあるのかを示す情報に基づいて情報ブロックを解釈するための手段をさらに含み得る。検出するための手段は、解釈された情報ブロックに基づいて検出を実行し得る。
【００６２】
[0074]上述の手段は、上述の手段によって具陳された機能を実行するように構成された、装置１２０２、および／または装置１２０２’の処理システム１３１４の上述のモジュールのうちの１つまたは複数であり得る。上記で説明したように、処理システム１３１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００６３】
[0075]開示したプロセス／フローチャートにおけるステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００６４】
[0076]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つまたは複数の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）のワイヤレス通信の方法であって、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を備える、方法。
［Ｃ２］
第２の基地局から、前記第１の基地局を検出するためのリソースのインジケーションを受信することをさらに備え、前記同期信号と前記情報ブロックとは、前記示されたリソース中で受信される、
［Ｃ１］に記載の方法。
［Ｃ３］
前記情報ブロックは、セル識別子をさらに備え、前記方法は、
前記第１の基地局から基準信号を受信することと、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成することと、
第２の基地局に前記測定レポートと前記セル識別子とを送ることと
をさらに備える、［Ｃ１］に記載の方法。
［Ｃ４］
第２の基地局から前記第１の基地局へのハンドオフ中に前記第２の基地局から前記第１の基地局に移動することをさらに備える、
［Ｃ１］に記載の方法。
［Ｃ５］
前記第１の基地局が前記休止状態にあるのか前記アクティブ状態にあるのかを示す前記情報に基づいて前記情報ブロックを解釈することをさらに備え、前記検出することは、前記解釈された情報ブロックに基づく、
［Ｃ１］に記載の方法。
［Ｃ６］
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性が前記第１の周期性よりも大きい、
［Ｃ５］に記載の方法。
［Ｃ７］
前記情報ブロックは、システム情報ブロック（ＳＩＢ）である、
［Ｃ１］に記載の方法。
［Ｃ８］
前記情報ブロックは、ＳＩＢ  １（ＳＩＢ１）である、
［Ｃ７］に記載の方法。
［Ｃ９］
前記情報ブロックは、ＳＩＢ  １（ＳＩＢ１）のサブセットを備える、
［Ｃ７］に記載の方法。
［Ｃ１０］
前記情報ブロックは、マスタ情報ブロック（ＭＩＢ）である、
［Ｃ１］に記載の方法。
［Ｃ１１］
ワイヤレス通信のための装置であって、前記装置はユーザ機器（ＵＥ）であり、
第１の基地局から同期信号と情報ブロックとを受信するための手段、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出するための手段と
を備える、装置。
［Ｃ１２］
第２の基地局から、前記第１の基地局を検出するためのリソースのインジケーションを受信するための手段をさらに備え、前記同期信号と前記情報ブロックとは、前記示されたリソース中で受信される、
［Ｃ１１］に記載の装置。
［Ｃ１３］
前記情報ブロックは、セル識別子をさらに備え、前記装置は、
前記第１の基地局から基準信号を受信するための手段と、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成するための手段と、
第２の基地局に前記測定レポートと前記セル識別子とを送るための手段と
をさらに備える、［Ｃ１１］に記載の装置。
［Ｃ１４］
第２の基地局から前記第１の基地局へのハンドオフ中に前記第２の基地局から前記第１の基地局に移動するための手段をさらに備える、
［Ｃ１１］に記載の装置。
［Ｃ１５］
前記第１の基地局が前記休止状態にあるのか前記アクティブ状態にあるのかを示す前記情報に基づいて前記情報ブロックを解釈するための手段をさらに備え、検出するための前記手段は、前記解釈された情報ブロックに基づいて検出する、
［Ｃ１１］に記載の装置。
［Ｃ１６］
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性は、前記第１の周期性よりも大きい、
［Ｃ１５］に記載の装置。
［Ｃ１７］
前記情報ブロックは、システム情報ブロック（ＳＩＢ）である、
［Ｃ１１］に記載の装置。
［Ｃ１８］
前記情報ブロックは、ＳＩＢ  １（ＳＩＢ１）である、
［Ｃ１７］に記載の装置。
［Ｃ１９］
前記情報ブロックは、ＳＩＢ  １（ＳＩＢ１）のサブセットを備える、
［Ｃ１７］に記載の装置。
［Ｃ２０］
前記情報ブロックは、マスタ情報ブロック（ＭＩＢ）である、
［Ｃ１１］に記載の装置。
［Ｃ２１］
ワイヤレス通信のための装置であって、前記装置がユーザ機器（ＵＥ）であり、
メモリと、
前記メモリに結合された少なくとも１つのプロセッサと
を備え、前記少なくとも１つのプロセッサは、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を行うように構成された、装置。
［Ｃ２２］
前記少なくとも１つのプロセッサは、第２の基地局から、前記第１の基地局を検出するためのリソースのインジケーションを受信するようにさらに構成され、前記同期信号と前記情報ブロックとが、前記示されたリソース中で受信される、
［Ｃ２１］に記載の装置。
［Ｃ２３］
前記情報ブロックは、セル識別子をさらに備え、前記少なくとも１つのプロセッサは、
前記第１の基地局から基準信号を受信することと、
前記受信された基準信号の基準信号受信品質（ＲＳＲＱ）、基準信号受信電力（ＲＳＲＰ）、または信号対干渉プラス雑音比（ＳＩＮＲ）のうちの少なくとも１つを備える測定レポートを生成することと、
第２の基地局に、前記測定レポートと前記セル識別子とを送ることと
を行うようにさらに構成された、［Ｃ２１］に記載の装置。
［Ｃ２４］
前記少なくとも１つのプロセッサは、第２の基地局から前記第１の基地局へのハンドオフ中に前記第２の基地局から前記第１の基地局に移動するようにさらに構成された、
［Ｃ２１］に記載の装置。
［Ｃ２５］
前記少なくとも１つのプロセッサは、前記第１の基地局が前記休止状態にあるのか前記アクティブ状態にあるのかを示す前記情報に基づいて前記情報ブロックを解釈するようにさらに構成され、前記少なくとも１つのプロセッサは、前記解釈された情報ブロックに基づいて検出するようにさらに構成された、
［Ｃ２１］に記載の装置。
［Ｃ２６］
前記第１の基地局は、前記第１の基地局が前記休止状態にあることを前記情報が示すとき、第１の周期性において受信された前記同期信号に基づいて検出され、前記第１の基地局が前記アクティブ状態にあることを前記情報が示すとき、第２の周期性において受信された前記同期信号に基づいて検出され、前記第２の周期性は、前記第１の周期性よりも大きい、
［Ｃ２５］に記載の装置。
［Ｃ２７］
前記情報ブロックは、システム情報ブロック（ＳＩＢ）である、
［Ｃ２１］に記載の装置。
［Ｃ２８］
前記情報ブロックは、ＳＩＢ  １（ＳＩＢ１）のサブセットを備える、
［Ｃ２７］に記載の装置。
［Ｃ２９］
前記情報ブロックは、マスタ情報ブロック（ＭＩＢ）である、
［Ｃ２１］に記載の装置。
［Ｃ３０］
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を行うためのコードを備えるコンピュータ可読媒体を備える、
ユーザ機器（ＵＥ）中のコンピュータプログラム製品。
【図１】
2018196146.tif 000003
【図２】
2018196146.tif 000004
【図３】
2018196146.tif 000005
【図４】
2018196146.tif 000006
【図５】
2018196146.tif 000007
【図６】
2018196146.tif 000008
【図７】
2018196146.tif 000009
【図８】
2018196146.tif 000010
【図９】
2018196146.tif 000011
【図１０】
2018196146.tif 000012
【図１１】
2018196146.tif 000013
【図１２】
2018196146.tif 000014
【図１３】
2018196146.tif 000015
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
第１の基地局から同期信号と情報ブロックとを受信すること、前記情報ブロックは、前記第１の基地局が休止状態にあるのかアクティブ状態にあるのかを示す情報を備える、と、
前記受信された同期信号と、前記第１の基地局が前記休止状態にあるのか前記アクティブ状態にあるのかを示す前記情報とに基づいて、前記第１の基地局を検出することと
を備える、方法。